(57)【特許請求の範囲】
【請求項１】
折曲線を有する薄片を該折曲線で所定角度に谷折り折曲して該薄片上に突出状態の立体を現出させるものであって、前記薄片には前記折曲線の左右両側に広がる所定の図形が描かれており、また、前記薄片には、前記折曲線の左側に位置する左端部及び右側に位置する右端部において前記薄片と連設される帯片が設けられ、この帯片の前記左右両端部は前記所定の図形の外縁に設定され、また、前記帯片は上下に複数連設されており、上下に隣接する前記帯片夫々の間には、前記帯片の左端部から中央近傍までのスリットと右端部から中央近傍までのスリットとが交互に設けられ、前記帯片の中央近傍における前記スリットの端位置には、前記薄片を所定角度に谷折り折曲した際、山折り折曲される山折り部が設けられ、上下に隣接する前記山折り部は、前記折曲線に対して左右にずれた位置に設けられ、前記薄片を所定角度に谷折り折曲した際、前記帯片が前記薄片上に突出状態となることで前記所定の図形が前記立体となるように構成されていることを特徴とする立体現出カード。
【請求項２】
請求項１記載の立体現出カードにおいて、前記帯片の長さは、上方から中央に行くに従い、及び、下方から中央に行くに従い、長くなるように設定され、前記薄片上に突出状態となる前記所定の図形は上下位置に比し中央位置が突出状態となるように構成されていることを特徴とする立体現出カード。
【請求項３】
請求項１，２いずれか１項に記載の立体現出カードにおいて、前記薄片は紙製若しくはプラスチック製であることを特徴とする立体現出カード。
【請求項４】
請求項１〜３いずれか１項に記載の立体現出カードにおいて、前記折曲線は前記薄片の左右中央位置に設けられていることを特徴とする立体現出カード。
【請求項５】
請求項１〜４いずれか１項に記載の立体現出カードにおいて、前記帯片夫々の左右両端部にして前記薄片との連設部は、前記立体の起立開始の谷折り折曲される谷折り部に設定されていることを特徴とする立体現出カード。
【請求項６】
請求項１〜５いずれか１項に記載の立体現出カードにおいて、前記所定の図形は前記薄片にカラー印刷によって設けられたものであることを特徴とする立体現出カード。
【請求項７】
請求項１〜６いずれか１項に記載の立体現出カードにおいて、前記薄片にして前記所定の図形の上方には飾り図形が設けられ、この飾り図形は、前記薄片を所定角度に谷折り折曲した際、前記薄片上に突出状態となる飾り立体であることを特徴とする立体現出カード。
【請求項８】
請求項１〜７いずれか１項に記載立体現出カードにおいて、前記薄片の左右端部には山折り折曲される折曲部が設けられ、この折曲部と前記折曲線を折曲して前記薄片を平面視Ｗ字状にすることで該薄片が自立するように構成されていることを特徴とする立体現出カード。
【発明の詳細な説明】
【０００１】
【発明の属する技術分野】
本発明は、所定角度に折曲した際に立体が現出する立体現出カードに関するものである。
【０００２】
【従来の技術及び発明が解決しようとする課題】
開いた際、彫刻、建築物、動物、空間図形のような立体物が現出するカードとして、本願発明者は特開平１０−３００７５７号を提案している。
【０００３】
この特開平１０−３００７５７号は、開いた際にカード面上に現出する立体を、該カードの一部を切り抜くことにより形成したもので、カードがかさ張らない、製造が簡単、ゴミが発生しない等の利点を有している。
【０００４】
本発明は、上記特開平１０−３００７５７号の改良発明であり、現出する立体を可及的に忠実に表現できる実用性，商品性に秀れた立体現出カードを提供するものである。
【０００５】
【課題を解決するための手段】
添付図面を参照して本発明の要旨を説明する。
【０００６】
折曲線１を有する薄片２を該折曲線１で所定角度に谷折り折曲して該薄片２上に突出状態の立体３を現出させるものであって、前記薄片２には前記折曲線１の左右両側に広がる所定の図形５が描かれており、また、前記薄片２には、前記折曲線１の左側に位置する左端部及び右側に位置する右端部において前記薄片２と連設される帯片４が設けられ、この帯片４の前記左右両端部は前記所定の図形５の外縁に設定され、また、前記帯片４は上下に複数連設されており、上下に隣接する前記帯片４夫々の間には、前記帯片４の左端部から中央近傍までのスリット10と右端部から中央近傍までのスリット10とが交互に設けられ、前記帯片４の中央近傍における前記スリット10の端位置には、前記薄片２を所定角度に谷折り折曲した際、山折り折曲される山折り部８が設けられ、上下に隣接する前記山折り部８は、前記折曲線１に対して左右にずれた位置に設けられ、前記薄片２を所定角度に谷折り折曲した際、前記帯片４が前記薄片２上に突出状態となることで前記所定の図形５が前記立体３となるように構成されていることを特徴とする立体現出カードに係るものである。
【０００７】
また、請求項１記載の立体現出カードにおいて、前記帯片４の長さは、上方から中央に行くに従い、及び、下方から中央に行くに従い、長くなるように設定され、前記薄片２上に突出状態となる前記所定の図形５は上下位置に比し中央位置が突出状態となるように構成されていることを特徴とする立体現出カードに係るものである。
【０００８】
また、請求項１，２いずれか１項に記載の立体現出カードにおいて、前記薄片２は紙製若しくはプラスチック製であることを特徴とする立体現出カードに係るものである。
【０００９】
また、請求項１〜３いずれか１項に記載の立体現出カードにおいて、前記折曲線１は前記薄片２の左右中央位置に設けられていることを特徴とする立体現出カードに係るものである。
【００１０】
また、請求項１〜４いずれか１項に記載の立体現出カードにおいて、前記帯片４夫々の左右両端部にして前記薄片２との連設部は、前記立体３の起立開始の谷折り折曲される谷折り部に設定されていることを特徴とする立体現出カードに係るものである。
【００１１】
また、請求項１〜５いずれか１項に記載の立体現出カードにおいて、前記所定の図形５は前記薄片２にカラー印刷によって設けられたものであることを特徴とする立体現出カードに係るものである。
【００１２】
また、請求項１〜６いずれか１項に記載の立体現出カードにおいて、前記薄片２にして前記所定の図形５の上方には飾り図形７が設けられ、この飾り図形７は、前記薄片２を所定角度に谷折り折曲した際、前記薄片２上に突出状態となる飾り立体13であることを特徴とする立体現出カードに係るものである。
【００１３】
また、請求項１〜７いずれか１項に記載立体現出カードにおいて、前記薄片２の左右端部には山折り折曲される折曲部11が設けられ、この折曲部11と前記折曲線１を折曲して前記薄片２を平面視Ｗ字状にすることで該薄片２が自立するように構成されていることを特徴とする立体現出カードに係るものである。
【００１４】
【発明の作用及び効果】
帯片４の長さを調整することで、所定角度に折曲した薄片２から突出状態となる該帯片４の突出量や、所定の図形５の輪郭を任意に設定することができる。
【００１５】
立体３は、この複数の帯片４の集合体によって表現されているから、例えば、半球状に突出する立体３であっても、前記帯片４の長さを上方から中央に行くに従い、及び、下方から中央に行くに従い、長くなるように設定することで前記帯片４の集合体が中央程突出するとともに、所定の図形５の輪郭が円弧に近似し、よって、帯片４の集合体として半球状に突出する立体３を可及的に良好に表現できることになる。
【００１６】
また、帯片４の巾を調整することでも、この立体３の形状はより一層実物に近いものとなる。
【００１７】
このように、帯片４の長さや巾によって立体３の細かな形状を表現することが可能であるが、例えば、薄片２が紙などの弾性を有する素材の場合、複数の帯片４が互いに連結されていないと、経時変化によって垂れ下がってしまうおそれがある。
【００１８】
この点、本発明の帯片４は、複数の帯片４が互いに連設される構成を採用しているから、この複数の帯片４同士が互いに支承し合うことになり、前記垂れ下がりは防止され、よって、この点からも立体３は一層実物に近いものとなる。
【００１９】
本発明は上述のように構成したから、湾曲形状等の立体でも可及的忠実に表現することができる実用性，商品性，量産性に秀れた立体現出カードとなる。
【００２０】
【発明の実施の形態】
図面は本発明の一実施例を図示したものであり、以下に説明する。
【００２１】
本実施例は、折曲線１を有する薄片２を該折曲線１で所定角度に谷折り折曲して該薄片２上に突出状態の立体３を現出させるものであって、前記薄片２には所定の図形５が描かれており、また、前記薄片２には、前記折曲線１の左側に位置する左端部及び右側に位置する右端部において前記薄片２と連設される帯片４が設けられ、この帯片４の前記左右両端部は前記所定の図形５の外縁に設定され、また、前記帯片４は上下に複数連設されており、上下に隣接する前記帯片４夫々の間には、前記帯片４の左端部から中央近傍までのスリット10と右端部から中央近傍までのスリット10とが交互に設けられ、前記帯片４の中央近傍における前記スリット10の端位置には、前記薄片２を所定角度に谷折り折曲した際、山折り折曲される山折り部８が設けられ、上下に隣接する前記山折り部８は、前記折曲線１に対して左右にずれた位置に設けられ、前記薄片２を所定角度に谷折り折曲した際、前記帯片４が前記薄片２上に突出状態となることで前記所定の図形５が前記立体３となるように構成されている立体現出カードである。
【００２２】
薄片２は紙製を採用している。尚、薄く且つある程度以上曲げに強い素材であれば、プラスチック等であっても良い。
【００２３】
折曲線１は薄片２の左右中央に設けられている。また、薄片２は、この折曲線１に沿って谷折り折曲されるように構成されている。尚、この折曲線１は、薄片２のどこに設けられていても良い。
【００２４】
また、薄片２の左右端縁には折曲片11が設けられ、この折曲片11及び前記折曲線１を折り曲げて薄片２を平断面視Ｗ字状に折り曲げることで該薄片２が自立するように構成されている。
【００２５】
薄片２には、例えば、コピー，プリンター，印刷機，デッサン等の適宜な印刷手段によって所定の図形５が設けられている。尚、図面は、薄片２に手で支承したリンゴを図形として設けており、このリンゴが請求項の所定の図形５に該当する。
【００２６】
また、この所定の図形５は、看者が可及的に実物をイメージできるようにカラー印刷されたものを採用すると良い。
【００２７】
また、所定の図形５は、薄片２の立体３を鑑賞する際の該薄片２の所定角度に応じて左右方向に拡大されている。即ち、薄片２を所定角度に谷折り折曲した際、該薄片２の正面視において前記所定の図形５（リンゴ）が本物と同様のたてよこ寸法比となるように該所定の図形５は左右方向に拡大されている。
【００２８】
隣接する上下の帯片４同士は、連設されており、具体的には、図１中上から一番目の第一の帯片４（図中符号Ａ）と上から二番目の第二の帯片４（図中符号Ｂ）との間のスリット10は帯片４の向かって右端部から「中央を超えた位置（図中符号Ｐ１）」まで形成され、第二の帯片４（図中符号Ｂ）と上から三番目の第三の帯片４（図中符号Ｃ）との間のスリット10は、帯片４の向かって左端部から「中央を超えた位置（図中符号Ｐ２）」まで形成され、以下、順次同様の構成であり、従って、第一の帯片４と第二の帯片４とは中央の左側部位（図中二点鎖線部位Ｌ１）で連設されるとともに、第二の帯片４と第三の帯片４とは中央の右側部位（図中二点鎖線部位Ｌ２）で連設され、以下、順次同様に上下の帯片４同士は連設されている。
【００２９】
また、上方から中央までは前記「中央を超えた位置」が徐々に折曲線１に近くなっており、また、下方から中央までも前記「中央を超えた位置」が徐々に折曲線１に近くなっている。
【００３０】
また、複数のスリット10の反対側の端部は前記所定の図形５（リンゴ）の輪郭線に略合致するように設けられている。
【００３１】
帯片４の基端部は立体３の起立開始の谷折り折曲される谷折り部となり、従って、薄片２を所定角度に折曲させた際、前記所定の図形５の輪郭線に略沿って隆起することになり、よって、該複数の帯片４の集合体によって形成される立体３の輪郭は前記所定の図形５の輪郭に略合致することになる。
【００３２】
また、帯片４にしてこのスリット10の先端部の近傍は、帯片４を折り曲げる際に山折りする山折り部８に設定されている。
【００３３】
また、山折り部８は、図１中上方から中央に行くに従い、また、下方から中央に行くに従い、薄片２を折曲した際の折曲線１からの距離が長くなるように設定されている。
【００３４】
従って、上下方向の中央ほど突出する所定の図形５が表現され、且つ、山折り部８から正面から見て左右にジグザグ状となる為、所定の図形５は丸味を帯びた湾曲状となる。
【００３５】
また、薄片２を所定角度に折曲することで所定の図形５が突出状態となって現出する立体３は、帯片４と薄片２とによって上方に上開口６が形成されるように構成されている（図３参照）。
【００３６】
また、薄片２の所定の図形５の上方には、飾り図形７が設けられ、この飾り図形７は、薄片２を所定角度に折曲した際、薄片２上に突出状態となり且つ上開口６内に位置する飾り立体13となるように構成されている。尚、本実施例では、所定の図形５としてリンゴを採用した為、このリンゴをより一層実物に近似させるように前記飾り図形７（即ち、飾り立体13）としてリンゴのヘタやヘタに付設されている葉を採用している。
【００３７】
尚、この飾り立体13も、両端が薄片２に接した状態のものとすると良い。
【００３８】
この薄片２は、例えば折り畳んだ状態で封筒に入れて販売店等に配られ、この販売店等で所定角度の状態とされて飾られる。従って、薄片２を折り畳んだ際に帯片４が該折り畳み状態の薄片２から突出しないように、前記スリット10の基端部、即ち、帯片４の左右両端は折曲線１と薄片２の端縁との中間位置より折曲線１側となるように構成すると良い。
【００３９】
本実施例は上述のように構成したから、閉じた状態の薄片２を所定角度に開いた際、帯片４と薄片２との連設部位が谷折りされ、また、帯片４にしてスリット10の先端部近傍が山折りされることで該帯片４によって立体３が形成されることになり、この立体３は長さの異なる薄片２の集合であるから、湾曲形状等の細かな形状を可及的に忠実に表現することができる。
【００４０】
即ち、所定の形状５がリンゴの場合、帯片４は立体３の左右中央線付近が突出し、且つ、帯片４の起立開始位置がリンゴの輪郭に略合致することになり、この突出する帯片４の形状的特徴とリンゴは丸みを帯びているという先入観との相乗作用により、看者が見た瞬間にリンゴを想到できることになる。
【００４１】
また、帯片４の山折り部８が上方側及び下方側程折曲線１に対して左右にジグザグ状となることで、突出する立体３の形状はより一層リンゴ様の丸みを帯びたものとなり、この点からも看者が見た瞬間にリンゴを想到できことになる。
【００４２】
尚、リンゴ以外にもミカン等の様々な立体３を表現することができる。
【００４３】
また、この表現力は、帯片４だけでなく、所定の図形５が薄片２に存在することによってイメージ的な面からも補足されることになる。
【００４４】
また、この表現力は、所定の図形５がカラー印刷されたものであれば、色彩的な面からも補足されることになる。
【００４５】
また、立体３の上方には上開口６が設けられ、この上開口６にリンゴのヘタを表現した飾り立体13が設けられているから、立体３を鑑賞した際、あたかもリンゴの上面中央からヘタが立設しているように見え、より一層リンゴらしい立体３が得られることになる。
【００４６】
また、複数の帯片４は互いに連設されているから、薄片２を所定角度の折曲状態として自立させた際にも、該帯片４が垂れ下がったりせず、長時間の鑑賞が可能となる。また、全ての帯片４が一体化している場合には、この垂れ下がり防止効果が極めて良好に発揮されることになる。
【００４７】
また、第一の帯片４の左右方向中央部の左側下縁と第二の帯片４の左右方向中央部の左側上縁とが連設され、且つ、第二の帯片４の左右方向中央部の右側下縁と第三の帯片４の左右方向中央部の右側上縁とが連設される構成の繰り返しによって互いに連設されている構成が採用されているから、上下の帯片４同士の連設縁が長く、よって、この上下の帯片４同士の連設強度が高く、前記垂れ下がりがより一層防止されることになる。
【００４８】
また、立体３は、左右両端が薄片２に接した状態で打ち抜かれた複数の帯片４を起立させて形成したものであるから、該薄片２を開くと該立体３は打ち抜き部12に位置し、よって、折曲しない状態の薄片２がかさ張ったり立体３部分のみが厚くなったりしないことになる。
【００４９】
また、立体３は、薄片２を打ち抜いて形成した帯片４により形成されるものであるから、図示したように、薄片２に金型などでスリット10を入れて折り曲げ部を折り曲げたりするだけで立体３を形成することができ、別体として形成した立体を台紙に貼着する従来の立体現出カードに比して極めて容易に製造することができる。
【００５０】
また、立体３を切り抜いた薄片２は、そのまま立体現出カードの一部となるから、製造時にゴミの発生を可及的に防止することができる。
【００５１】
以上、本実施例によれば、湾曲形状等の立体３の細かな形状を可及的に忠実に表現することができ、更に、この立体３を構成する帯片４が垂れ下がったりせず、更に、折曲しない状態において薄片２がかさ張ったり立体３部分のみが厚くなったりせず、更に、製造が簡単で量産が容易であり、更に、ゴミの発生を可及的に低減することができる実用性，商品性，量産性に秀れた立体現出カードとなる。
【図面の簡単な説明】
【図１】  本実施例の薄片２を開いた状態を示す説明平面図である。
【図２】  本実施例の使用状態を示す説明斜視図である。
【図３】  本実施例の使用状態における説明上端面図である。
【符号の説明】
１  折曲線
２  薄片
３  立体
４  帯片
５  所定の図形
６  上開口
７  飾り図形
８  山折り部
10  スリット
11  折曲片
13  飾り立体
【図１】
0004694000.tif 000002
【図２】
0004694000.tif 000003
【図３】
0004694000.tif 000004